(57)【要約】【課題】本体部の両端部に外部電極が突出している直管形の蛍光ランプを複数本並列して包装する蛍光ランプの包装体において、外部電極が折曲しないように、複数本の蛍光ランプを包装することができるようにした蛍光ランプの包装体を提供する。【解決手段】この蛍光ランプの包装体は、中間保持体２０と端部保護体３０とを備えている。中間保持体２０は、蛍光ランプ１０の本体部１３を入れる谷部２３を有する波板２２が平板状のライナー２１の片面に貼着されている。端部保護体３０は、外部電極１２を囲むカバー３１が前記中間保持体２０の波板２２の各谷部２３と同じピッチで配列され、該カバー３１の端縁３２が前記蛍光ランプ１０の端面１１に当接するようにされている。また、端部保護体３０は、前記中間保持体２０の波板２２と同じ正面形状の波板を平板状のライナー３４の片面に貼着したものであり、前記中間保持体２０と天地を逆転してセットされる。【選択図】図１
2008213915.tif 000002
【特許請求の範囲】
【請求項１】
本体部の両端面から外部電極が突出している直管形の蛍光ランプを複数本並列して包装する蛍光ランプの包装体であって、
前記蛍光ランプの本体部を入れる谷部を有する波板が平板状のライナーの片面に貼着された中間保持体と、前記外部電極を囲むカバーが前記中間保持体の波板の各谷部と同じピッチで配列され、該カバーの端縁が前記蛍光ランプの端面に当接する端部保護体とが備えられていることを特徴とする蛍光ランプの包装体。
【請求項２】
前記端部保護体は、前記中間保持体の波板と同じ正面形状の波板を平板状のライナーの片面に貼着し、波板の山部とライナーとによって前記カバーを形成するものであり、前記中間保持体と天地を逆転してセットされることを特徴とする請求項１に記載の蛍光ランプの包装体。
【請求項３】
前記端部保護体は、一方のカバーから他方のカバーの方への幅寸法が前記中間保持体の一方の谷部から他方の谷部の方への幅寸法と同じとされていることを特徴とする請求項１又は２に記載の蛍光ランプの包装体。
【請求項４】
前記中間保持体及び端部保護体は、積み重ねられていることを特徴とする請求項１から３のいずれか１項に記載の蛍光ランプの包装体。
【発明の詳細な説明】
【技術分野】
【０００１】
本発明は、本体部の両端面から外部電極が突出している直管形の蛍光ランプを複数本並列して包装する蛍光ランプの包装体に関し、特に、バックライトに備えられる細径化された直管形の蛍光ランプを好適に包装する蛍光ランプの包装体に関する。
【背景技術】
【０００２】
例えば液晶テレビ等に用いられる液晶パネルのバックライト用ランプとして、冷陰極蛍光灯のような蛍光ランプが知られている。
【０００３】
この蛍光ランプ１０はガラス等の本体部の両端に電極部を備えており、給電のための外部電極１２が本体部から突出している。
【０００４】
蛍光ランプ１０は、バックライトユニットの所定の部位に実装される。従来は、手作業によって外部電極１２を折曲したり切断したりした上で端子に半田付けしていた。したがって、従来の蛍光ランプ１０の外部電極１２は、先端部が折曲していても、真っ直ぐに修正したり、切除されるため、先端部の折曲が接続に影響することはなかった。
【０００５】
ユニットに備えられている蛍光ランプは、図５に示すような包装体１に包装され、搬送ないし保管されている。この包装体１は、片面ダンボール（片段）と呼ばれるもので、平坦なライナー２の片面に波板３が貼付されている。波板３の谷部に蛍光ランプ１０が入れられることにより、この包装体１は、細径化された蛍光ランプ１０を好適に包装することができる。そして積み重ねられた状態でカートン（図示せず）に箱詰めされる。
【０００６】
なお、直管形蛍光ランプなどの包装箱であって、長さ方向の採り幅が小さくても吊下げ強度が増大するようにしたものが特許文献１に開示されている。また、片段ボール紙を折曲して形成した直管形蛍光ランプ用個装ケースであって、ガラスバルブ壁面の汚れを抑制したものが特許文献２に開示されている。また、直管形蛍光ランプを収納する蛍光ランプ包装体であって、直管形蛍光ランプを簡単に取り出せるようにしたものが特許文献３に開示されている。
【特許文献１】特開２００４−１７５３８１号公報
【特許文献２】特開２００５−２２７５１号公報
【特許文献３】特開２００５−３０６４７４号公報
【発明の開示】
【発明が解決しようとする課題】
【０００７】
しかし、近年は、バックライトユニットを効率的に製造するため、蛍光ランプ１０が自動的に実装される、すなわち、機械によって外部電極１２が端子に挟まれ又は挿し込まれることにより、半田付けすることなく接続されることから、外部電極１２はある程度の長さが必要で、折曲しないように包装体１に包装されることが要請されている。
【０００８】
バックライトユニットに備えられている蛍光ランプ１０を包装する従来の包装体１は、外部電極１２を十分に保護していないため、輸送中の衝撃や振動などによって外力が加えられることにより、外部電極１２が折曲することがある。折曲した外部電極１２は、自動的に実装することができない、あるいは外部電極１２を端子に無理に接続することにより、蛍光ランプに大きな負荷が加えられ、蛍光ランプが破損するということがある。
【０００９】
また、前記特許文献１，２，３に開示された包装箱、個装ケース、蛍光ランプ包装体は、いずれも個装であり、多数本の蛍光ランプを一括して搬送ないし保管するものではないだけでなく、蛍光ランプ１０の外部電極１２を十分に保護するものでない。
【００１０】
そこで、本発明は、外部電極が折曲しないように、複数本の蛍光ランプを包装することができるようにした蛍光ランプの包装体を提供することを課題とする。
【課題を解決するための手段】
【００１１】
本発明に係る蛍光ランプの包装体は、本体部の両端面から外部電極が突出している直管形の蛍光ランプを複数本並列して包装する蛍光ランプの包装体であって、前記蛍光ランプの本体部を入れる谷部を有する波板が平板状のライナーの片面に貼着された中間保持体と、前記外部電極を囲むカバーが前記中間保持体の波板の各谷部と同じピッチで配列され、該カバーの端縁が前記蛍光ランプの端面に当接する端部保護体とが備えられていることを特徴としている。
【００１２】
この蛍光ランプの包装体によれば、蛍光ランプの本体部は中間保持体の波板の谷部に入れられることによって外力が加えられなくなって破損することがなく、そして、蛍光ランプの外部電極は端部保護体のカバーに囲まれ、カバーの端縁が蛍光ランプの端面に当接することによって外力が加えられなくなって変形することがない。なお、この蛍光ランプの包装体がカートン内に箱詰めされたときに、各端部保護体が蛍光ランプの各端面とカートンとに挟まれ、外部電極がカバーに囲まれるとともに、蛍光ランプが各端部保護体に挟まれて長さ方向に移動しないようにすることができる。
【００１３】
また、前記本発明に係る蛍光ランプの包装体において、前記端部保護体は、前記中間保持体の波板と同じ正面形状の波板を平板状のライナーの片面に貼着し、波板の山部とライナーとによって前記カバーを形成するものであり、前記中間保持体と天地を逆転してセットされることが好ましい。この蛍光ランプの包装体によれば、中間保持体と端部保護体とは、ともに正面形状が同じ波板をライナーの片面に貼着したものとされるため、中間保持体と端部保護体との各波板とライナーを共用して製造することができ、生産管理などを簡素化することができる。そして、端部保護体の波板の山部が中間保護体の波板の各端部の谷部内に嵌められることによって、端部保護体が移動しないようにすることができる。
【００１４】
また、前記本発明に係る蛍光ランプの包装体において、前記端部保護体は、一方のカバーから他方のカバーの方への幅寸法が前記中間保持体の一方の谷部から他方の谷部の方への幅寸法と同じとされていることが好ましい。この蛍光ランプの包装体によれば、端部保護体の幅寸法が中間保持体の幅寸法と同じとされていることにより、中間保持体と端部保護体をカートン内に箱詰めしたときに、端部保護体がカートン内で幅方向に移動しないようにすることができる。
【００１５】
また、前記本発明に係る蛍光ランプの包装体において、前記中間保持体及び端部保護体は、積み重ねられていてもよい。この蛍光ランプの包装体によれば、中間保持体及び端部保護体が積み重ねられてカートン内に箱詰めされることにより、多数の蛍光ランプをカートン内に収納することができる。そして、積み重ねられた上下の蛍光ランプの間には、中間保持体のライナーが介在することにより、蛍光ランプは外力が加えられないようにすることができる。
【発明の効果】
【００１６】
本発明によれば、蛍光ランプの本体部が中間保持体の波板の谷部に入れられた状態で、蛍光ランプの外部電極が端部保護体のカバーに囲まれることにより、外部電極は外力から保護される。したがって、この蛍光ランプの包装体に包装された蛍光ランプは、外部電極が折曲するなど変形することがなく、この蛍光ランプの外部電極を端子に自動的に接続する作業を確実に行うことができ、生産性の向上に寄与することができる。また、外部電極は端子に無理に接続されず、蛍光ランプに大きな負荷が加えられることがないため、蛍光ランプが破損しないようにすることができる。
【発明を実施するための最良の形態】
【００１７】
本発明に係る蛍光ランプの包装体の一実施形態について図１から図４を参照しながら説明する。この蛍光ランプの包装体は、中間保持体２０と端部保護体３０とを備えていることを特徴としている。
【００１８】
中間保持体２０は、従来と同様、平板状のライナー２１の片面に波板２２を貼着したもので、波板２２の谷部２３に蛍光ランプ１０の本体部１３が入れられる。図示した中間保持体２０は、谷部２３が５列設けられ、５本の蛍光ランプ１０がそれぞれの谷部２３に入れられる。この蛍光ランプ１０の側面は、図２に示すように、波板２２の頂部２４から突出していてもよい。そして、中間保持体２０の長さは、蛍光ランプ１０よりも長く、カートン（図示せず）の長さ方向の内寸と同じとされている。また、中間保持体２０の幅寸法Ｄ、すなわち波板２２の一方の谷部２３から他方の谷部２３の方への幅寸法Ｄはカートンの幅方向の内寸と同じとされている。
【００１９】
一方、端部保護体３０は、外部電極１２を囲む複数のカバー３１を備えている。したがって、このカバー３１のピッチは、前記中間保持体２０の波板２２の各谷部２３のピッチと同じとされている。また、このカバー３１の端縁３２は、図３に示すように、蛍光ランプ１０の端面１１に当接するようにセットされる。なお、図３は、わかりやすくするため、端部保護体３０の外形線が中間保持体２０の外形線と重ならないように描いてあるが、実際の端部保護体３０、両外形線が重なる大きさに形成されている。
【００２０】
この端部保護体３０は、図１及び図２に示すように、中間保持体２０の波板２２と同じ正面形状の波板３３を平板状のライナー３４の片面に貼着するもので、この波板３３の山部３５とライナー３４とによってカバー３１が形成される。端部保護体３０と中間保持体２０との正面形状が同じとされることにより、中間保持体２０と端部保護体３０とは、各波板２２，３３とライナー２１，３４を共用して製造することができ、蛍光ランプの包装体の生産ラインが簡素化され、コストダウンを図ることができる。
【００２１】
また、この端部保護体３０は、中間保持体２０と天地を逆転してカートン内にセットされる。すなわち、中間保持体２０がライナー２１を下側、波板２２の頂部２４を上側にしてカートン内にセットされる場合においては、端部保護体３０は、波板３３の頂部３６を下側、ライナー３４を上側にして、そして波板３３の各山部３５が中間保持体２０各谷部２３に嵌められる。
【００２２】
また、この端部保護体３０の一方のカバー３１から他方のカバー３１の方への幅寸法ｄは、中間保持体２０の幅寸法Ｄと同じとされる。こうすることにより、この蛍光ランプの包装体をカートン内に箱詰めしたときに、端部保護体３０の両端がカートンの内壁に規制される。
【００２３】
また、一対の端部保護体３０の合計した長さは、カートンの長さから蛍光ランプ１０の本体部１３の長さを差し引いた長さとされている。ただし、端部保護体３０とカートンとの間に緩衝体を介在させる場合は、一対の端部保護体３０の合計した長さは、カートンの長さから蛍光ランプ１０の本体部１３の長さと一対の緩衝体の長さとを差し引いた長さとされる。
【００２４】
そして、中間保持体２０の波板２２の谷部２３に蛍光ランプ１０の本体部１３を入れ、端部保護体３０の波板３３の山部３５を中間保持体２０の谷部２３に嵌めることによって蛍光ランプ１０の外部電極１２をカバー３１によって囲み、このカバー３１の端縁３２を蛍光ランプ１０の端面１１に当接させて、カートン内に箱詰めする。すると、一対の端部保護体３０が蛍光ランプ１０を挟んでいることにより、蛍光ランプ１０は長さ方向に移動できないように規制される。
【００２５】
また、中間保持体２０がカートンの長さ方向の内寸と同じ長さ、又は蛍光ランプ１０の本体部１３よりも長くされる場合においては、端部保護体３０の波板３３の山部３５が中間保持体２０の波板２２の谷部２３に嵌められることにより、端部保護体３０が幅方向に移動することができない。
【００２６】
ただし、端部保護体３０の幅寸法ｄがカートンの幅寸法の内寸と同じとされる場合にあっては、端部保護体３０の波板３３の山部３５が中間保持体２０の波板２２の谷部２３に嵌められなくても、端部保護体３０は幅方向に移動することができない。したがって、この場合は、中間保持体２０の長さは、蛍光ランプ１０の本体部１３の長さと同じとしてもよい。
【００２７】
さらに、中間保持体２０の長さが、蛍光ランプ１０の本体部１３の長さと同じとされる場合は、端部保護体３０は、波板でなく、図４に示すように平板３７を折曲し、角筒形のカバー３１を中間保持体２０の波板２２の各谷部２３と同じピッチで配列するようにしてもよい。角筒形のカバー３１は、安定した姿勢でカートン内にセットすることができる。この場合においても、端縁３２は蛍光ランプ１０の端面１１に当接し、平板３７の両端部３８は、カートンに規制されるように突出し、幅方向に移動しないようにされる。
【００２８】
いずれの蛍光ランプの包装体にあっても、カートン内に復数段、積み重ねられ、蛍光ランプ１０が箱詰めされる。そして、端部保護体３０のカバー３１の端縁３２が蛍光ランプ１０の端面１１に当接し、各端部保護体３０のカバー３１が蛍光ランプ１０の各端面１１を挟む状態とされている。なお、各端部保護体３０とカートンとの間に緩衝体を介在させてもよい。
【００２９】
そして、蛍光ランプ１０は、箱詰めされた状態で輸送される。このとき、カートン及び蛍光ランプの包装体に外力が加えられても、外部電極１２は、カバー３１に保護され、このカバー３１が蛍光ランプ１０を挟み、蛍光ランプ１０が長さ方向に移動することができないことによって、変形することがない。また、蛍光ランプ１０は、中間保持体２０の波板２２の谷部２３に入れられ、波板２２が外力を吸収することによって破損することがない。
【００３０】
そして、蛍光ランプ１１はカートン及び包装体から取り出され、バックライトユニットの製造に使用される。この製造において、外部電極１２は折曲していないため、端子に挟まれ又は挿し込まれることにより、蛍光ランプ１０は自動的に実装される。そして、外部電極１２が折曲していないことにより、実装された蛍光ランプ１０の本体部１３に負荷が加えられることがなく、したがって、蛍光ランプ１０が破損することがない。
【００３１】
なお、本発明は、前記の実施形態に限定されることなく、特許請求の範囲に記載した発明特定事項の範囲内において種々変更することができる。すなわち、本蛍光ランプ１０の包装体は、液晶パネルのバックライトとして使用される蛍光ランプ１０を包装するだけでなく、室内で使用される蛍光灯であっても、同様に包装することができる。
【００３２】
また、中間保持体２０が蛍光ランプ１０よりも長く形成される場合において、端部保護体３０の波板３３の山部３５が中間保持体２０の波板２２の谷部２３に嵌められるときは、端部保護体３０の幅寸法ｄは、中間保持体２０の幅寸法Ｄよりも短くしてもよい。
【産業上の利用可能性】
【００３３】
本発明に係る蛍光ランプの包装体は、特に液晶パネルのバックライトに備えられている蛍光ランプを包装する場合に有効に利用することができる。
【図面の簡単な説明】
【００３４】
【図１】本発明に係る蛍光ランプの包装体の一実施形態を示す斜視図
【図２】本発明に係る蛍光ランプの包装体の一実施形態を示す正面図
【図３】本発明に係る蛍光ランプの包装体の一実施形態を示す平面図
【図４】本発明に係る蛍光ランプの包装体の前記と異なる実施形態を示す斜視図
【図５】従来の蛍光ランプの包装体の一例を示す側面図
【符号の説明】
【００３５】
１０  蛍光ランプ
１１  端面
１２  外部電極
１３  本体部
２０  中間保持体
２１  ライナー
２２  波板
２３  谷部
３０  端部保護体
３１  カバー
３２  端縁
３３  波板
３４  ライナー
３５  山部
Ｄ  （中間保持体の）幅寸法
ｄ  （端部保護体の）幅寸法
【図１】
2008213915.tif 000003
【図２】
2008213915.tif 000004
【図３】
2008213915.tif 000005
【図４】
2008213915.tif 000006
【図５】
2008213915.tif 000007